【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
少なくとも一つの亜鉛塩と、本組成物の総重量に基づいて0.1〜20重量%の一般式(Ia)
【化１】
2005534728.tif 000001
〔式中、Mは、ナトリウムまたは水素、
xは、1.9〜22の数値、および
yは、0〜33の数値である〕
で示される結晶性シート様ケイ酸塩を含み、
該亜鉛塩と該一般式(Ia)で示される結晶性シート様ケイ酸塩の比率が、3:1〜1:10であることを特徴とする、食器洗浄機用洗剤または食器洗浄機用洗剤用助剤。
【請求項２】
無機亜鉛塩の群から選ばれる少なくとも一つの亜鉛塩を含む、請求項１に記載の食器洗浄機用洗剤または食器洗浄機用洗剤用助剤。
【請求項３】
有機亜鉛塩の群から選ばれる少なくとも一つの亜鉛塩を含む、請求項１に記載の食器洗浄機用洗剤または食器洗浄機用洗剤用助剤。
【請求項４】
本組成物の総重量に基づく亜鉛塩の重量分は、0.1〜10重量%である、請求項１〜３のいずれかに記載の食器洗浄機用洗剤。
【請求項５】
本組成物の総重量に基づく一般式(Ia)で示される結晶性シート様ケイ酸塩の重量分は、0.2〜15重量%である、請求項１〜４のいずれかに記載の食器洗浄機用洗剤。
【請求項６】
亜鉛塩および／または結晶性シート様ケイ酸塩は、一以上のさらなる活性物質および／またはビルダー物質と共に粒子形態に処方されて、配合物として存在する、請求項１〜５のいずれかに記載の食器洗浄機用洗剤または食器洗浄機用洗剤用助剤。
【請求項７】
一般式(Ia)で示される結晶性シート様ケイ酸塩は、一以上のさらなる活性物質および／またはビルダー物質と共に粒子形態に処方されて、配合物として存在する、請求項１〜６のいずれかに記載の食器洗浄機用洗剤または食器洗浄機用洗剤用助剤。
【請求項８】
亜鉛塩および／または結晶性シート様ケイ酸塩は、ポリマーマトリックス中に処方されて存在する、請求項１〜７のいずれかに記載の食器洗浄機用洗剤または食器洗浄機用洗剤用助剤。
【請求項９】
寸法安定性で、および、200〜1000 gの針入度を有する、請求項１〜８のいずれかに記載の食器洗浄機用洗剤または食器洗浄機用洗剤用助剤。
【請求項１０】
500〜500000 mPasの粘度を有する、請求項１〜９のいずれかに記載の食器洗浄機用洗剤または食器洗浄機用洗剤用助剤。
【請求項１１】
水溶性封入体中に分包されている、請求項１〜１０のいずれかに記載の食器洗浄機用洗剤または食器洗浄機用洗剤用助剤。
【請求項１２】
機械的な食器洗浄中のガラス腐食を低減するための、請求項１〜１１のいずれかに記載の食器洗浄機用洗剤または食器洗浄機用洗剤用助剤の使用。
【手続補正２】
【補正対象書類名】明細書
【補正対象項目名】００１０
【補正方法】変更
【補正の内容】
【００１０】
【化１】
2005534728.tif 000002
【手続補正３】
【補正対象書類名】明細書
【補正対象項目名】００１３
【補正方法】変更
【補正の内容】
【００１３】
【化２】
2005534728.tif 000003
【手続補正４】
【補正対象書類名】明細書
【補正対象項目名】００１６
【補正方法】変更
【補正の内容】
【００１６】
【化３】
2005534728.tif 000004
【手続補正５】
【補正対象書類名】明細書
【補正対象項目名】００７３
【補正方法】変更
【補正の内容】
【００７３】
全ての該物質が本発明の亜鉛塩の処方物用の活性物質および／またはビルダー物質として一般に適切であるが、本発明の範囲内で特に好適には、一以上の活性物質および／またはビルダー物質と共に処方された亜鉛塩配合物が、リン酸塩、炭酸塩、炭酸水素塩、硫酸塩、ケイ酸塩、クエン酸塩、クエン酸および酢酸塩の群からの活性物質および／またはビルダー物質を、好適には、いずれの場合にも粒子の総重量に基づいて、20〜99重量%、特に好適には30〜98重量%および殊に好適には40〜95重量%の量で含む、食器洗浄機用洗剤または食器洗浄機用洗剤用助剤である。
【手続補正６】
【補正対象書類名】明細書
【補正対象項目名】００８４
【補正方法】変更
【補正の内容】
【００８４】
天然ワックスとしては、例えば、植物ワックス（例えば、カンデリラワックス、カルナバワックス、木ろう、エスパルトワックス、コルクワックス、グアルマ(Guaruma)ワックス、コメ胚芽油ワックス、サトウキビワックス、オウリキュリーワックス、またはモンタンワックス）、動物ワックス（例えば、みつろう、シェラックワックス、鯨ろう、ラノリン(羊毛ワックス)、または尾腺グリース）、鉱物ワックス（例えば、セレシンまたはオゾケライト(地ろう)）、または石油化学ワックス（例えば、ペトロラタム、パラフィンワックスまたはマイクロクリスタリンワックス）が挙げられる。
【手続補正７】
【補正対象書類名】明細書
【補正対象項目名】０３７１
【補正方法】変更
【補正の内容】
【０３７１】
【化３４】
2005534728.tif 000005
【手続補正８】
【補正対象書類名】明細書
【補正対象項目名】０４１１
【補正方法】変更
【補正の内容】
【０４１１】
【化４０】
2005534728.tif 000006
【手続補正９】
【補正対象書類名】明細書
【補正対象項目名】０４３２
【補正方法】変更
【補正の内容】
【０４３２】
表は、亜鉛塩と結晶性シート様ケイ酸塩の組合せを含有する本発明の食器洗浄機用洗剤が、所定の条件下、亜鉛塩のみを含有する食器洗浄機用洗剤またはケイ酸塩のみを含有する食器洗浄機用洗剤よりも、著しく良好なガラス腐食特性を有することを示す。亜鉛塩とケイ酸塩の活性成分の組合せの腐食阻害効果は、個々の物質について観察された効果の総計を著しく上回っている。
本発明の好適な実施態様には、以下のものが含まれる。
〔１〕  少なくとも一つの亜鉛塩と、少なくとも一つの上記一般式(I)
ａＡ２Ｏ・ｂＢＯ・ｃＣ２Ｏ３・ｄＤ２Ｏ５・ｘＳｉＯ２・ｆＨ２Ｏ        (I)
〔式中、Aは、アルカリ金属および／または水素、
Bは、アルカリ土類金属および／または亜族元素、好適には亜鉛、鉄およびマンガンからなる群からの元素、
Cは、元素周期表の第3主族元素および／または亜族元素、好適には鉄、および
Dは、元素周期表の第5主族元素および／または亜族元素であり、
以下も適用される：
0≦a≦1；0≦b≦0.5；0≦c／x≦0.05；0≦d／x≦0.25；1.9≦x≦22；0≦f≦40〕
で示される結晶性シート様ケイ酸塩を含む、食器洗浄機用洗剤または食器洗浄機用洗剤用助剤。
〔２〕  結晶性シート様ケイ酸塩は、一般式(Ia)
ＮａＭＳｉｘＯ２ｘ＋１・ｙＨ２Ｏ        (Ia)
〔式中、Mは、ナトリウムまたは水素、
xは、1.9〜22の数値、好適には1.9〜4の数値、および
yは、0〜33の数値である〕
を有する、上記〔１〕記載の食器洗浄機用洗剤または食器洗浄機用洗剤用助剤。
〔３〕  亜鉛塩と、一般式(I)または一般式(Ia)で示される結晶性シート様ケイ酸塩を、10:1〜1:50、好適には5:1〜1:30、特には3:1〜1:10の比率で含む、上記〔１〕または〔２〕記載の食器洗浄機用洗剤または食器洗浄機用洗剤用助剤。
〔４〕  無機亜鉛塩の群、好適には可溶性無機亜鉛塩の群、特には臭化亜鉛、塩化亜鉛、ヨウ化亜鉛、硝酸亜鉛および硫酸亜鉛からなる群から選ばれる少なくとも一つの亜鉛塩を含む、上記〔１〕〜〔３〕のいずれかに記載の食器洗浄機用洗剤または食器洗浄機用洗剤用助剤。
〔５〕  有機亜鉛塩の群、好適には可溶性有機亜鉛塩の群、特に好適には有機酸モノマーまたは有機酸ポリマーの可溶性亜鉛塩の群、特には酢酸亜鉛、アセチルアセトナト亜鉛、安息香酸亜鉛、ギ酸亜鉛、乳酸亜鉛、グルコン酸亜鉛、リシノール酸亜鉛、アビエチン酸亜鉛、吉草酸亜鉛およびp-トルエンスルホン酸亜鉛からなる群から選ばれる少なくとも一つの亜鉛塩を含む、上記〔１〕〜〔３〕のいずれかに記載の食器洗浄機用洗剤または食器洗浄機用洗剤用助剤。
〔６〕  本組成物の総重量に基づく亜鉛塩の重量分は、0.1〜10重量%、好適には0.2〜7重量%、特には0.4〜4重量%である、上記〔１〕〜〔５〕のいずれかに記載の食器洗浄機用洗剤。
〔７〕  本組成物の総重量に基づく一般式(I)または一般式(Ia)で示される結晶性シート様ケイ酸塩の重量分は、0.1〜20重量%、好適には0.2〜15重量%、特に0.4〜10重量%である、上記〔１〕〜〔６〕のいずれかに記載の食器洗浄機用洗剤。
〔８〕  亜鉛塩および／または結晶性シート様ケイ酸塩は、一以上のさらなる活性物質および／またはビルダー物質と共に粒子形態に処方されて、配合物として存在する、上記〔１〕〜〔７〕のいずれかに記載の食器洗浄機用洗剤または食器洗浄機用洗剤用助剤。
〔９〕  一般式(I)または一般式(Ia)で示される結晶性シート様ケイ酸塩は、一以上のさらなる活性物質および／またはビルダー物質、好適には有機モノカルボン酸または有機ポリカルボン酸、ヒドロキシポリカルボン酸およびホスホン酸の群からの一以上のさらなる活性物質および／またはビルダー物質と共に粒子形態に処方されて、配合物として存在する、上記〔１〕〜〔８〕のいずれかに記載の食器洗浄機用洗剤または食器洗浄機用洗剤用助剤。
〔１０〕  亜鉛塩および／または結晶性シート様ケイ酸塩は、ポリマーマトリックス中に処方されて存在する、上記〔１〕〜〔７〕のいずれかに記載の食器洗浄機用洗剤または食器洗浄機用洗剤用助剤。
〔１１〕  寸法安定性で、および、200〜1000 g、好適には250〜900 g、特に好適には300〜800 gおよび特には350〜700 gの針入度を有する、上記〔１〕〜〔７〕のいずれかに記載の食器洗浄機用洗剤または食器洗浄機用洗剤用助剤。
〔１２〕  500〜500000 mPas、好適には900〜200000 mPasおよび特には1300〜100000 mPasの粘度を有する、上記〔１〕〜〔７〕のいずれかに記載の食器洗浄機用洗剤または食器洗浄機用洗剤用助剤。
〔１３〕  水溶性封入体中に分包されている、上記〔１〕〜〔１２〕のいずれかに記載の食器洗浄機用洗剤または食器洗浄機用洗剤用助剤。
〔１４〕  機械的な食器洗浄中のガラス腐食を低減するための、上記〔１〕〜〔１３〕のいずれかに記載の食器洗浄機用洗剤または食器洗浄機用洗剤用助剤の使用。